(57)【要約】【課題】本発明は、照明器具内部に昆虫の侵入を防止するための空間を設けて、照明器具を分解してその空間に昆虫の侵入を防止するための部材を設置するという従来の弊害を解消しつつ、昆虫の侵入を防止できる照明器具を提供することを目的とする。【解決手段】本願の発明に係る照明器具は、発光部分であるチューブと、該チューブの端部に取り付けられたソケットキャップとを有する照明ランプと、該ソケットキャップの少なくとも一部を覆うゴムカバーと、を備えたことを特徴とする。【選択図】図１
2018185943.tif 000002
【特許請求の範囲】
【請求項１】
発光部分であるチューブと、前記チューブの端部に取り付けられたソケットキャップとを有する照明ランプと、
前記ソケットキャップの少なくとも一部を覆うゴムカバーと、を備えたことを特徴とする照明器具。
【請求項２】
前記ゴムカバーは環状の形状を有し、前記ゴムカバーの内面が前記ソケットキャップに接することを特徴とする請求項１に記載の照明器具。
【請求項３】
前記ゴムカバーの内径は前記ソケットキャップの外径と等しいことを特徴とする請求項２に記載の照明器具。
【請求項４】
前記ゴムカバーの内径は前記ソケットキャップの外径より小さいことを特徴とする請求項２に記載の照明器具。
【請求項５】
前記ゴムカバーは前記ソケットキャップだけに接したことを特徴とする請求項１〜４のいずれか１項に記載の照明器具。
【請求項６】
前記チューブに巻きつけられた追加ゴムカバーを備えたことを特徴とする請求項１〜５のいずれか１項に記載の照明器具。
【請求項７】
前記ゴムカバーは、環状の形状を有し前記ソケットキャップに接する第１部分と、前記第１部分につながり環状の形状を有し前記チューブに接する第２部分を備え、
前記ソケットキャップの外径は前記チューブの外径より大きく、
前記第１部分の内径は前記第２部分の内径よりも大きいことを特徴とする請求項１に記載の照明器具。
【請求項８】
前記第２部分は前記第１部分から離れる方向に先細りの形状となっていることを特徴とする請求項７に記載の照明器具。
【請求項９】
前記照明ランプに前記ゴムカバーを覆うように取り付けられた落下防止具を備えたことを特徴とする請求項７又は８に記載の照明器具。
【請求項１０】
前記ソケットキャップは、複数の部品からなり、前記ゴムカバーは前記複数の部品の隙間を覆うことを特徴とする請求項１〜６のいずれか１項に記載の照明器具。
【請求項１１】
前記ソケットキャップは貫通孔を有し、
前記チューブの中にはヒートシンクが設けられ、
前記ソケットキャップは、前記貫通孔を通って前記ヒートシンクに固定されたねじにより、前記チューブに固定され、
前記ゴムカバーは、前記貫通孔を覆うことを特徴とする請求項１〜６のいずれか１項に記載の照明器具。
【請求項１２】
発光部分であるチューブと、
前記チューブの端部に取り付けられたゴムカバーと、
前記ゴムカバーを覆いつつ、前記チューブの端部に取り付けられたソケットキャップと、を備えたことを特徴とする照明器具。
【請求項１３】
前記ゴムカバーは環状の形状を有し前記チューブに巻きつくことを特徴とする請求項１２に記載の照明器具。
【請求項１４】
前記ゴムカバーの外面には凸部が形成されたことを特徴とする請求項１〜１３のいずれか１項に記載の照明器具。
【請求項１５】
前記凸部は前記ゴムカバーの外面を１周するように設けられたことを特徴とする請求項１４に記載の照明器具。
【請求項１６】
前記ゴムカバーはエチレンプロピレンゴムで形成されたことを特徴とする請求項１〜１５のいずれか１項に記載の照明器具。
【発明の詳細な説明】
【技術分野】
【０００１】
本発明は、照明器具に関する。
【背景技術】
【０００２】
特許文献１には、器具本体と、器具本体に取り付けらえる光源部と、この光源部を覆うようにして器具本体に取り付けられるグローブとを備えた照明器具が開示されている。器具本体とグローブが相対する部分には昆虫忌避剤を含んだ忌避剤保持層が設けられている。
【先行技術文献】
【特許文献】
【０００３】
【特許文献１】特開２０１６−２４９３８号公報
【発明の概要】
【発明が解決しようとする課題】
【０００４】
照明ランプは、発光部分であるチューブと、そのチューブの端に取り付けられたソケットキャップを備える。チューブとソケットキャップの隙間から蟻などの昆虫が侵入し、照明ランプの内の塗膜を食い荒らし意匠的に問題となっている。また、照明ランプ内に侵入した昆虫が内部配線を噛みつけることでショート又は感電などの事故につながるおそれもある。
【０００５】
そのような弊害を防止するために、特許文献１には昆虫忌避剤を含んだ忌避剤保持層を設けることが開示されている。しかしながら、特許文献１の昆虫忌避剤を含んだ忌避剤保持層は照明器具の内側に設けられている。よって、照明器具の内側に忌避剤保持層を配置できる空間を設けなければならない。また、忌避剤保持層の着脱のために照明器具を分解しなければならないので、作業に手間がかかった。
【０００６】
本発明は、上述のような課題を解決するためになされたもので、弊害なく昆虫の侵入を防止できる照明器具を提供することを目的とする。
【課題を解決するための手段】
【０００７】
本願の発明に係る照明器具は、発光部分であるチューブと、該チューブの端部に取り付けられたソケットキャップとを有する照明ランプと、該ソケットキャップの少なくとも一部を覆うゴムカバーと、を備えたことを特徴とする。
本願の発明に係る他の照明器具は、発光部分であるチューブと、該チューブの端部に取り付けられたゴムカバーと、該ゴムカバーを覆いつつ、該チューブの端部に取り付けられたソケットキャップと、を備えたことを特徴とする。
【０００８】
本発明のその他の特徴は以下に明らかにする。
【発明の効果】
【０００９】
本発明によれば、外付けのゴムカバーを使用することで、弊害なく昆虫の侵入を防止することができる。
【図面の簡単な説明】
【００１０】
【図１】ゴムカバーの斜視図である。
【図２】ゴムカバーの照明ランプへの取り付け方法を示す図である。
【図３】ソケットキャップに取り付けられたゴムカバーを示す図である。
【図４】ゴムカバーの正面図である。
【図５】ソケットキャップの正面図である。
【図６】ゴムカバーとソケットキャップの正面図である。
【図７】実施の形態２に係る照明器具の一部側面図である。
【図８】実施の形態３に係るゴムカバーの側面図である。
【図９】照明器具の一部断面図である。
【図１０】実施の形態４に係る照明器具の一部断面図である。
【図１１】実施の形態５に係る照明器具の分解斜視図である。
【図１２】実施の形態５に係る照明器具の斜視図である。
【図１３】実施の形態６に係る照明器具の分解斜視図である。
【図１４】実施の形態６に係る照明器具の斜視図である。
【図１５】実施の形態７に係る照明器具の分解斜視図である。
【図１６】実施の形態７に係る照明器具の断面図である。
【発明を実施するための形態】
【００１１】
本発明の実施の形態に係る照明器具について図面を参照して説明する。同じ又は対応する構成要素には同じ符号を付し、説明の繰り返しを省略する場合がある。
【００１２】
実施の形態１．
図１は、実施の形態１に係る照明器具が備えるゴムカバー１０の斜視図である。ゴムカバー１０は昆虫が照明器具の中に侵入することを防止するために設けられている。ゴムカバー１０は環状のゴムである。ゴムカバー１０の外面には平坦部１０ａと凸部１０ｂが形成されている。凸部１０ｂはゴムカバー１０の外面を１周するものである。凸部１０ｂは一定間隔をあけて複数設けられている。凸部１０ｂは、照明ランプに対してゴムカバー１０を容易に取り付けたり取り外したりするために設けられている。ゴムカバー１０には孔１０ｃが設けられている。ゴムカバー１０の内面は凹凸のない曲面である。
【００１３】
昆虫の多い地域は気温が高いことを考慮して、ゴムカバー１０の材料は、耐久性と耐熱性に優れたものとすることが好ましい。また、昆虫が照明器具に侵入することを防止するために、ゴムカバー１０はある程度ゴムの臭いを発することができる材料とする。ゴムカバー１０の材料は例えばエチレンプロピレンゴムとすることが好ましい。
【００１４】
図２は、ゴムカバー１０の照明ランプ１１への取り付け方法を示す図である。照明ランプ１１は、発光部分であるチューブ１２と、チューブ１２の端部に取り付けられたソケットキャップ１４と、端子１６とを有している。ゴムカバー１０はソケットキャップ１４にはめ込み係合させる。照明ランプ１１を予め定められた部分に取り付ける前に、ゴムカバー１０をソケットキャップ１４に矢印方向に被せるように取り付ける。
【００１５】
実施の形態１に係る照明器具２０におけるゴムカバー１０の長さＬ１は、ソケットキャップ１４の長さＬ２と等しい。そのため、ソケットキャップ１４の外面全体にゴムカバー１０を接触させることができる。
【００１６】
図３は、ソケットキャップ１４に取り付けられたゴムカバー１０を示す図である。ゴムカバー１０はソケットキャップ１４だけに接し、発光部分であるチューブ１２に接しない。そのため、ゴムカバー１０によって照明ランプ１１の発光が妨げられることはない。
【００１７】
図４は、ゴムカバー１０の正面図である。ゴムカバー１０の垂直方向の内径はｙ１であり、水平方向の内径はｘ１である。図４では、ゴムカバー１０が楕円形であることが示されているが、環状であれば特に楕円形に限定されない。
【００１８】
図５は、ソケットキャップ１４の正面図である。ソケットキャップ１４の垂直方向の外径はｙ２であり、水平方向の外径はｘ２である。前述のｙ１はｙ２より例えば１ｍｍ小さい。また、前述のｘ１はｘ２より例えば１ｍｍ小さい。つまり、ゴムカバー１０の内径はソケットキャップ１４の外径より小さい。図５では、ソケットキャップ１４の外形が楕円形であることが示されているが、環状であれば特に楕円形に限定されない。
【００１９】
図６は、ゴムカバー１０をソケットキャップ１４に係合させた状態におけるゴムカバー１０とソケットキャップ１４の正面図である。ゴムカバー１０の内径はソケットキャップ１４の外径より１ｍｍ小さいので、ゴムカバー１０が弾性変形し、ゴムカバー１０の内面がソケットキャップ１４に隙間なく接触する。ゴムカバー１０の内径がソケットキャップ１４の外径より小さければこの効果を得ることができるため、両者の差は１ｍｍに限定されない。また、ゴムカバー１０の内径とソケットキャップ１４の外径を一致させても、両者をある程度密着させることができる。
【００２０】
実施の形態１に係る照明器具２０によれば、蟻などの昆虫がゴムの臭いを嫌うという習性を利用し、照明ランプ１１のソケットキャップ１４にゴムカバー１０を取り付けることで昆虫による被害を防止できる。また、ゴムカバー１０は、ソケットキャップ１４に外付けするものである。したがって、蟻などの昆虫の被害が多い地域などで使用される照明ランプ１１にはゴムカバー１０を設け、そのような被害のない場合にはゴムカバー１０を省略することができる。照明ランプ１１については全地域で共通化でき、必要に応じて別売りのゴムカバー１０を使用する。
【００２１】
本発明の実施の形態１に係る照明器具２０はその特徴を失わない範囲で様々な変形が可能である。例えば、ゴムカバー１０は、ソケットキャップ１４の少なくとも一部を覆うことで、昆虫の侵入を抑制できる。したがって、ゴムカバー１０は必ずしもソケットキャップ１４の全体を覆わなくてもよい。ゴムカバー１０でソケットキャップ１４の一部を覆ったり、ゴムカバー１０を非環状の形状としたりすることができる。
【００２２】
これらの変形は以下の実施の形態に係る照明器具に応用することができる。なお、以下の実施の形態に係る照明器具は実施の形態１との類似点が多いので、実施の形態１との相違点を中心に説明する。
【００２３】
実施の形態２．
図７は、実施の形態２に係る照明器具の一部側面図である。ソケットキャップ１４にゴムカバー１０が取り付けられている。チューブ１２に追加ゴムカバー２２が巻きつけられている。追加ゴムカバー２２は環状の形状を有し、その内径をチューブ１２の外径より小さくすることが好ましい。しかし、追加ゴムカバー２２の形状はチューブ１２に接触できるものであれば特に限定されない。
【００２４】
ソケットキャップ１４とチューブ１２の境界部分２６の右側にゴムカバー１０があり、境界部分２６の左側に追加ゴムカバー２２がある。これにより、境界部分２６から照明ランプ１１の内部に昆虫が侵入することを防止できる。
【００２５】
実施の形態３．
図８は、実施の形態３に係る照明器具が備えるゴムカバー３０の側面図である。ゴムカバー３０は、環状の第１部分３０Ａと、第１部分３０Ａにつながる環状の第２部分３０Ｂとを備えている。ゴムカバー３０の外面には、平坦部１０ａと凸部１０ｂが形成されている。ゴムカバー３０の内面は破線で示されている。第１部分３０Ａの内径Ｌａは第２部分３０Ｂの内径Ｌｂよりも大きくなっている。第２部分３０Ｂは第１部分３０Ａから離れる方向に先細りの形状となっている。したがって、第１部分３０Ａの外径は第２部分３０Ｂの外径より大きい。
【００２６】
図９は、ゴムカバー３０を照明ランプ１１に取り付けた状態における、照明器具の一部断面図である。ソケットキャップ１４はチューブ１２の端部を覆うので、ソケットキャップ１４の外径はチューブ１２の外径より大きい。ゴムカバー３０の第１部分３０Ａはソケットキャップ１４に接し、第２部分３０Ｂはチューブ１２に接する。第１部分３０Ａの内径をソケットキャップ１４の外径より小さくすることで、第１部分３０Ａを弾性変形させて、第１部分３０Ａをソケットキャップ１４に密着させることが好ましい。第２部分３０Ｂの内径をチューブ１２の外径より小さくすることで、第２部分３０Ｂを弾性変形させて、第２部分３０Ｂをチューブ１２に密着させることが好ましい。
【００２７】
このように、ゴムカバー３０でチューブ１２とソケットキャップ１４の境界部分を覆うことで、昆虫の侵入抑制効果を高めることができる。ゴムカバー３０をチューブ１２とソケットキャップ１４の両方に接触させるためには、第１部分３０Ａの内径を第２部分３０Ｂの内径よりも大きくする必要がある。ゴムカバー３０の外径については特に限定されない。
【００２８】
実施の形態４．
図１０は、実施の形態４に係る照明器具の一部断面図である。この照明器具は、実施の形態３の照明器具に落下防止具４０を取り付けたものである。落下防止具４０は、照明ランプ１１にゴムカバー３０を覆うように取り付けられている。具体的には、落下防止具４０は、チューブ１２に接し、ソケットキャップ１４に接し、ゴムカバー３０を非接触で覆う。
【００２９】
ゴムカバー３０はゴム製なので経時劣化する。経時劣化したゴムカバー３０が例えばＸ正方向に移動すると、ゴムカバー３０が照明ランプ１１から外れるおそれがある。そこで、ゴムカバー３０を覆い、ゴムカバー３０のＸ正負方向への移動を防止する落下防止具４０を設けた。落下防止具４０により、ゴムカバー３０が照明ランプ１１から外れることを防止できる。
【００３０】
実施の形態５．
図１１は、実施の形態５に係る照明器具の分解斜視図である。チューブ１２の中にヒートシンク５０が設けられている。ヒートシンク５０の上にはＬＥＤ基板５２が設けられている。ＬＥＤ基板５２の上には複数のＬＥＤチップが搭載されている。ソケットキャップ１４は、第１部品１４Ａと第２部品１４Ｂを備えている。第１部品１４Ａはソケットキャップ１４の半分の側面を提供し、第２部品１４Ｂはソケットキャップ１４の残り半分の側面を提供する。第２部品１４Ｂには端子１６が接続された円盤部分も設けられている。第１部品１４Ａと第２部品１４Ｂが嵌合することで１つのソケットキャップ１４が提供される。
【００３１】
ゴムカバー１０は、ソケットキャップ１４の側面と円盤部分の一部を覆う形状となっている。ゴムカバー１０は図１１の右側と左側に開口を有する筒状の形状を有している。ゴムカバー１０の右側の開口の径は、ゴムカバー１０の左側の開口の径より小さい。
【００３２】
図１２は、実施の形態５に係る照明器具の斜視図である。図１１の第１部品１４Ａと第２部品１４Ｂでチューブ１２の端部を挟むことで、ソケットキャップ１４をチューブ１２に取り付ける。そして、ゴムカバー１０で第１部品１４Ａと第２部品１４Ｂの側面部分を覆い、ゴムカバー１０をソケットキャップ１４に固定する。ゴムカバー１０は第１部品１４Ａと第２部品１４Ｂの間の隙間を覆う。
【００３３】
実施の形態５に係る照明器具は、ソケットキャップ１４の複数の部品の隙間をゴムカバー１０で覆うものである。よって、当該隙間から照明器具の中に昆虫が侵入することを防止できる。また、水などが照明器具の中に浸入することも防止できる。ソケットキャップ１４の隙間はソケットキャップ１４の構成によって決まるものである。そのため、ソケットキャップ１４の隙間とは、例えば、チューブ１２およびヒートシンク５０にソケットキャップ１４を取り付けるためのソケットキャップ１４の係合機構の隙間であると言うことができる。
【００３４】
ソケットキャップ１４は、複数の部品からなるものであればよく、２つの部品で構成することに限定されない。複数の部品を組み合わせてソケットキャップ１４を構成する場合、部品間に隙間が生じる。複数の部品の隙間をゴムカバー１０で覆うことで上記効果を得ることができる。
【００３５】
実施の形態６．
図１３は、実施の形態６に係る照明器具の分解斜視図である。チューブ１２の中にはヒートシンク５０が設けられている。ヒートシンク５０にはネジ孔５０ａが形成されている。ソケットキャップ１４は、端子１６が設けられた円盤部分に貫通孔１４ａを有している。この貫通孔１４ａにねじ６０を通し、そのねじ６０をヒートシンク５０のネジ孔５０ａに固定することで、ソケットキャップ１４をチューブ１２に固定する。
【００３６】
ゴムカバー１０は、図１３の右側に２つの開口１０ｄが形成された底面１０Ｄを有している。この底面１０Ｄの外縁に筒状の側面部分がつながっている。図１３において、ゴムカバー１０の左側には１つの開口が形成されている。ゴムカバー１０は全体としては筒状の形状を有している。図１３のねじ６０を貫通孔１４ａに通した後にネジ孔５０ａにネジ締めすることで、ソケットキャップ１４をチューブ１２に固定する。その後、ゴムカバー１０をソケットキャップ１４に取り付けることで、図１４の照明器具が完成する。
【００３７】
図１４は、実施の形態６に係る照明器具の斜視図である。ゴムカバー１０の２つの開口１０ｄから端子１６が外部に伸びている。しかしながら、ゴムカバー１０の底面１０Ｄには２つの開口１０ｄだけが形成されているので、ねじ６０および貫通孔１４ａはゴムカバー１０で覆われている。これにより、貫通孔１４ａから照明器具の内部に昆虫または水等が侵入することを防止できる。
【００３８】
実施の形態７．
図１５は、実施の形態７に係る照明器具の分解斜視図である。チューブ１２の端部にゴムカバー７０が取り付けられている。ゴムカバー７０は環状の形状を有しチューブ１２に巻きつくことが好ましい。しかしながら、チューブ１２の端部に取り付けられる形状であれば、別の形状のゴムカバーを採用することもできる。
【００３９】
ソケットキャップ１４は第１部品１４Ａと第２部品１４Ｂを備えている。実施の形態５における第１部品１４Ａと第２部品１４Ｂはゴムカバー１０によって覆われることで結合するものであるが、実施の形態７の第１部品１４Ａと第２部品１４Ｂはゴムカバーに覆われない。そのため、実施の形態７における第１部品１４Ａにはプレスフィット部１４ｃが設けられている。このプレスフィット部１４ｃが第２部品１４Ｂに圧入され弾性変形することで、第１部品１４Ａを第２部品１４Ｂに対して固定できるようになっている。第２部品１４Ｂの円盤部分には貫通孔１４ａが形成されている。この貫通孔１４ａを通したねじ６０をネジ孔５０ａにネジ締めすることで、ソケットキャップ１４をチューブ１２に固定できる。
【００４０】
図１６は、実施の形態７に係る照明器具の断面図である。ねじ６０をネジ孔５０ａにネジ締めすることでソケットキャップ１４がチューブ１２に固定されている。ソケットキャップ１４は、ゴムカバー７０を覆いつつ、チューブ１２の端部に取り付けられている。すなわち、ソケットキャップ１４の側面部分とチューブ１２の間には空隙が設けられ、この空隙にゴムカバー７０が納められている。ゴムカバー７０をソケットキャップ１４で覆うことで、ゴムカバー７０が劣化して切れてもゴムカバー７０はソケットキャップ１４の中に収まったままの状態を維持する。よって、長期にわたって昆虫の侵入を防止する効果を享受できる。
【００４１】
実施の形態１−７で説明した技術的特徴を組み合わせることで、発明の効果を高めることができる。
【符号の説明】
【００４２】
１０  ゴムカバー、  １１  照明ランプ、  １２  チューブ、  １４  ソケットキャップ
【図１】
2018185943.tif 000003
【図２】
2018185943.tif 000004
【図３】
2018185943.tif 000005
【図４】
2018185943.tif 000006
【図５】
2018185943.tif 000007
【図６】
2018185943.tif 000008
【図７】
2018185943.tif 000009
【図８】
2018185943.tif 000010
【図９】
2018185943.tif 000011
【図１０】
2018185943.tif 000012
【図１１】
2018185943.tif 000013
【図１２】
2018185943.tif 000014
【図１３】
2018185943.tif 000015
【図１４】
2018185943.tif 000016
【図１５】
2018185943.tif 000017
【図１６】
2018185943.tif 000018